(57)【要約】  方法は、米国電気電子学会８０２．１１の無線ネットワークを介する送信のためにソースデバイスでデータパケットを生成することを含む。データパケットは、データパケットの中で複製される複数のデータシンボルを含む。データパケットのプリアンブルの少なくとも一部は、データパケットの中で複製されない。プリアンブルの一部は、パケットが、低レートモードのパケットであることを示す。方法はまた、無線ネットワークを介してソースデバイスから宛先デバイスにデータパケットを送信することを含む。
2016534640.tif 000002
【特許請求の範囲】
【請求項１】
方法であって、
米国電気電子学会（ＩＥＥＥ）８０２．１１の無線ネットワークを介する送信のためにデータパケットを、ソースデバイスで、生成することと、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記ソースデバイスから宛先デバイスに前記データパケットを送信することと、
を備える、方法。
【請求項２】
前記複数のデータシンボルは、前記データパケットと関連付けられた周波数帯にわたって、または前記データパケットと関連付けられた時間期間にわたって複製される、請求項１に記載の方法。
【請求項３】
前記データパケットは、レガシーデータパケットを通信するために使用される第２の数のトーンより大きい第１の数のトーンを使用して通信される、請求項１に記載の方法。
【請求項４】
前記レガシーデータパケットは、ＩＥＥＥ  ８０２．１１ａのデータパケット、ＩＥＥＥ  ８０２．１１ｇのデータパケット、ＩＥＥＥ  ８０２．１１ｎのデータパケット、またはＩＥＥＥ  ８０２．１１ａｃのデータパケットを含む、請求項３に記載の方法。
【請求項５】
前記データパケットは、２０メガヘルツ（ＭＨｚ）のデータパケットであり、前記レガシーデータパケットは、２０ＭＨｚのデータパケットである、請求項３に記載の方法。
【請求項６】
前記第１の数のトーンは、２５６個のトーンに対応する、請求項５に記載の方法。
【請求項７】
前記プリアンブルは、ショートトレーニングフィールド、ロングトレーニングフィールド、および信号フィールドを含む、請求項１に記載の方法。
【請求項８】
前記ショートトレーニングフィールドの周期性は、前記低レートモードを示す、請求項７に記載の方法。
【請求項９】
前記ロングトレーニングフィールドの直交系列は、前記低レートモードを示す、請求項７に記載の方法。
【請求項１０】
前記プリアンブルの前記一部は、前記ショートトレーニングフィールド、または前記ロングトレーニングフィールドのうちの少なくとも１つに対応する、請求項７に記載の方法。
【請求項１１】
前記データパケットは、第１の因数によって２０メガヘルツ（ＭＨｚ）のレガシーデータパケットを通信するために使用される第２の数のトーンより大きい第１の数のトーンを使用して通信される２０ＭＨｚのデータパケットであり、ここにおいて、データパケットは、前記第１の因数未満である第２の因数によって周波数補正能力を低減するショートトレーニングフィールドを含む、請求項１に記載の方法。
【請求項１２】
前記データパケットは、６４個のトーンを使用して通信される５メガヘルツ（ＭＨｚ）のデータパケットである、請求項１に記載の方法。
【請求項１３】
前記データパケットのデータレートは、約１．５メガビット毎秒（Ｍｂｐｓ）と１．６２５Ｍｂｐｓの間である、請求項１に記載の方法。
【請求項１４】
命令を備える非一時的なコンピュータ可読媒体であって、前記命令は、コンピュータによって実行されるとき、前記コンピュータに、
米国電気電子学会（ＩＥＥＥ）８０２．１１の無線ネットワークを介する送信のためにデータパケットを、ソースデバイスで、生成することと、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記ソースデバイスから宛先デバイスに前記データパケットを送信することと、
を備える動作を実行させる、非一時的なコンピュータ可読媒体。
【請求項１５】
前記データパケットは、２０メガヘルツ（ＭＨｚ）のデータパケットである、請求項１４に記載の非一時的なコンピュータ可読媒体。
【請求項１６】
前記プリアンブルは、ショートトレーニングフィールド、ロングトレーニングフィールド、および信号フィールドを含む、請求項１４に記載の非一時的なコンピュータ可読媒体。
【請求項１７】
前記ショートトレーニングフィールドの周期性は、低レートモードを示す、請求項１６に記載の非一時的なコンピュータ可読媒体。
【請求項１８】
前記ロングトレーニングフィールドの直交系列は、低レートモードを示す、請求項１６に記載の非一時的なコンピュータ可読媒体。
【請求項１９】
前記データパケットのデータレートは、約１．５メガビット毎秒（Ｍｂｐｓ）と１．６２５Ｍｂｐｓの間である、請求項１４に記載の非一時的なコンピュータ可読媒体。
【請求項２０】
前記データパケットのデータシンボルは、二位相シフトキーイング（ＢＰＳＫ）変調され、レガシーデータパケットのレガシーＢＰＳＫコーディングレート未満である第１のコーディングレートでコード化される、請求項１４に記載の非一時的なコンピュータ可読媒体。
【請求項２１】
前記データシンボルは、２５６個のトーンを使用して通信される、請求項２０に記載の非一時的なコンピュータ可読媒体。
【請求項２２】
前記動作は、前記宛先デバイスが、前記データパケットに肯定応答しそこねたことの決定に応答して送信のための第２のデータパケットを生成することをさらに備え、ここにおいて、前記第２のデータパケットのデータシンボルは、ＢＰＳＫ変調され、前記第１のコーディングレート未満である第２のコーディングレートでコード化される、請求項２０に記載の非一時的なコンピュータ可読媒体。
【請求項２３】
装置であって、
プロセッサと、
米国電気電子学会（ＩＥＥＥ）８０２．１１の無線ネットワークを介する送信のためにデータパケットを、ソースデバイスで、生成することと、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記ソースデバイスから宛先デバイスに前記データパケットを送信することと、
を備える、動作を実行するための前記プロセッサによって実行可能な命令を記憶するメモリと
を備える、装置。
【請求項２４】
前記データパケットは、レガシーデータパケットを通信するために使用されるトーンより小さい帯域幅を有するトーンを使用して通信される、請求項２３に記載の装置。
【請求項２５】
前記データパケットは、複製された信号フィールドおよびデータフィールドを含む、請求項２４に記載の装置。
【請求項２６】
前記データパケットの信号フィールドおよびデータフィールドのためのコードレートは、前記レガシーデータパケットのためのレガシーコードレートより低い、請求項２４に記載の装置。
【請求項２７】
前記データパケットは、２個のシンボルより長いロングトレーニングフィールドを含み、ここにおいて、前記ロングトレーニングフィールドは、前記データパケットの中の信号フィールドに先行する、請求項２３に記載の装置。
【請求項２８】
装置であって、
米国電気電子学会（ＩＥＥＥ）８０２．１１の無線ネットワークを介して送信されるためのデータパケットを生成するための手段と、ここにおいて、前記データパケットは、前記データパケットの中で複製される複数のデータシンボルを含み、前記データパケットのプリアンブルの少なくとも一部は、前記データパケットの中で複製されず、前記プリアンブルの前記一部は、前記パケットが、低レートモードのパケットであることを示し、
前記無線ネットワークを介して前記データパケットを送信するための手段と、
を備える、装置。
【請求項２９】
前記データパケットは、ノンレガシープリアンブルに先行するレガシープリアンブルを含み、ここにおいて、前記ノンレガシープリアンブルは、前記パケットが前記低レートモードのパケットであることを示し、前記レガシープリアンブルは、レガシーデバイスに、前記データパケットが通信される時間期間の間、前記無線ネットワークを介して通信することを控えさせるために前記レガシーデバイスによってデコード可能である、請求項２８に記載の装置。
【請求項３０】
前記無線ネットワークは、高効率Ｗｉ−Ｆｉ（ＨＥＷ）無線ネットワークを備え、前記レガシーデバイスは、ＩＥＥＥ  ８０２．１１ａ規格、ＩＥＥＥ  ８０２．１１ｇ規格、ＩＥＥＥ  ８０２．１１ｎ規格、ＩＥＥＥ  ８０２．１１ａｃ規格、または任意のそれらの組み合わせと互換性がある、請求項２９に記載の装置。
【発明の詳細な説明】
【関連出願の相互参照】
【０００１】
[0001]  本願は、２０１３年８月２８日に出願された米国仮特許出願第６１／８７１，２４１号からの、および２０１４年８月２５日に出願された米国非仮出願第１４／４６７，８９４号からの優先権を主張し、その内容は、その全文を参照により明確に組み込まれる。
【技術分野】
【０００２】
[0002]  本開示は、低レートでデータを通信することに一般的に関する。
【背景技術】
【０００３】
[0003]  技術の進歩は、より小型で、より強力なコンピューティングデバイスをもたらした。例えば、小型で、軽量、かつユーザによって容易に持ち運ばれる携帯無線電話（portable wireless telephones）、携帯情報端末（ＰＤＡｓ）、およびページングデバイスのような、無線コンピューティングデバイスを含む、様々な携帯用パーソナルコンピューティングデバイスが現在存在する。より具体的には、セルラ電話およびインターネットプロトコル（ＩＰ）電話のような携帯無線電話は、無線ネットワークにわたって（over wireless networks）音声およびデータパケットを通信することができる。さらに、多くのそのような無線電話は、そこに組み込まれる他のタイプのデバイスを含む。例えば、無線電話はまた、デジタルスチルカメラ、デジタルビデオカメラ、デジタルレコーダ、およびオーディオファイルプレーヤを含むことができる。また、そのような無線電話は、インターネットに接続する（access）ために使用されることができる、ウェブブラウザアプリケーションのような、ソフトウェアアプリケーションを含む実行可能な命令を処理することができる。そのように、これらの無線電話は、重要なコンピューティング機能（computing capabilities）を含むことができる。
【０００４】
[0004]  多様な無線プロトコルおよび規格が、無線電話および他の無線デバイスによって使用するために利用可能であり得る。例えば、「Ｗｉ−Ｆｉ」と一般に称される、米国電気電子学会（Institute of Electrical and Electronics Engineers）（ＩＥＥＥ）８０２．１１は、無線ローカルエリアネットワーク（ＷＬＡＮ）通信プロトコルの標準化されたセットである。Ｗｉ−Ｆｉプロトコルでは、ソースデバイスと宛先デバイス（destination device）間で送信されるデータは、複数のデータ送信が同時に起こるエリアの中で干渉に影響を受け（be susceptible to interference）得る。データ送信の成功はまた、ソースデバイスのための送信電力によって影響され得る。
【発明の概要】
【０００５】
[0005]  高効率Ｗｉ−Ｆｉ（ＨＥＷ）は、ある使用事例において効率性および操作性能（operational performance）を改善するために潜在的なアップデートおよびＷｉ−Ｆｉ規格へのレビジョン（revisions）を探索するためのＩＥＥＥ  ８０２．１１のスタディグループ（ＳＧ）である。データパケットは、送信の間、干渉の量を低減するために、およびデータパケットをデコードするために必要な信号対干渉雑音比（ＳＩＮＲ）の要件（例えば、しきい値）を低減するためにより低いデータレートで送信され得る。
【０００６】
[0006]  Ｗｉ−ｆｉに、より低いデータレートを組み込むために、多様な物理層（ＰＨＹ）パラメータおよび設計が使用され得る。本開示は、無線通信（例えば、ＩＥＥＥ  ８０２．１１）システムとともに使用するための低減されたデータレート送信プランを提供する。
【０００７】
[0007]  特定の実施形態では、方法は、米国電気電子学会（ＩＥＥＥ）８０２．１１の無線ネットワークを介する送信のためにソースデバイスでデータパケットを生成することを含む。例えば、ＩＥＥＥ  ８０２．１１の無線ネットワークは、少なくとも１つのＩＥＥＥ  ８０２．１１規格に準拠しているネットワークであり得る。データパケットは、データパケットの中で複製される複数のデータシンボルを含む。データパケットのプリアンブルの少なくとも一部は、データパケットの中で複製されない。プリアンブルの一部は、パケットが、低レートモードのパケット（low rate mode packet）であることを示す。方法はまた、無線ネットワークを介してデータパケットを送信することを含む。
【０００８】
[0008]  別の特定の実施形態では、方法は、ＩＥＥＥ  ８０２．１１の無線ネットワークを介する送信のためにソースデバイスでデータパケットを生成することを含む。データパケットは、複数のトーンにわたって（over multiple tones）複製される複数のデータシンボルを含む。データパケットのプリアンブルの少なくとも一部は、複数のトーンにわたって複製されない。プリアンブルの一部は、パケットが、低レートモードのパケットであることを示す。
【０００９】
[0009]  別の特定の実施形態では、方法は、米国電気電子学会８０２．１１の無線ネットワークを介する送信のためにソースデバイスでデータパケットを生成することを含む。データパケットは、データパケットの複数の時間間隔で複製される複数のデータシンボルを含む。データパケットのプリアンブルの少なくとも一部は、複数の時間間隔で複製されない。方法はまた、無線ネットワークを介してソースデバイスから宛先デバイスにデータパケットを送信することを含む。
【００１０】
[0010]  別の特定の実施形態では、非一時的なコンピュータ可読媒体は、コンピュータによって実行されるとき、コンピュータに、ＩＥＥＥ  ８０２．１１の無線ネットワークを介する送信のためにデータパケットを、ソースデバイスで、生成することを含む動作を実行させる命令を含む。データパケットは、データパケットの中で複製される複数のデータシンボルを含む。データパケットのプリアンブルの少なくとも一部は、データパケットの中で複製されず、プリアンブルの一部は、パケットが低レートモードのパケットであることを示す。動作はまた、無線ネットワークを介してソースデバイスから宛先デバイスにデータパケットを送信することを含む。
【００１１】
[0011]  別の特定の実施形態では、非一時的なコンピュータ可読媒体は、コンピュータによって実行されるとき、コンピュータに、データパケットの複数の時間間隔で複製される複数のデータシンボルを含むデータパケットを、ソースデバイスで、生成することを含む動作を実行させる命令を含む。データパケットのプリアンブルの少なくとも一部は、複数の時間間隔で複製されない。動作はまた、米国電気電子学会（ＩＥＥＥ）８０２．１１の無線ネットワークを介してデータパケットを送信することを含む。
【００１２】
[0012]  別の特定の実施形態では、方法は、米国電気電子学会８０２．１１の無線ネットワークを介する送信のためにソースデバイスでデータパケットを生成することを含む。データパケットは、６４個のトーンを使用して通信される５メガヘルツ（ＭＨｚ）のデータパケットである。
【００１３】
[0013]  別の特定の実施形態では、方法は、米国電気電子学会８０２．１１の無線ネットワークを介する送信のためにソースデバイスでデータパケットを生成することを含む。データパケットのデータシンボルは、レガシーデータパケットのレガシー二位相シフトキーイング（legacy binary phase shift keying）（ＢＰＳＫ）レート未満である第１のＢＰＳＫレートで送信される。本明細書で使用される場合、「ＢＰＳＫレート」は、ＢＰＳＫ変調されるパケットのコーディングレート（「コードレート」と代替的に称される）に関する。例えば、ＩＥＥＥ  ８０２．１１ａｃのようなレガシー規格において、変調およびコーディング方式（modulation and coding scheme）（ＭＳＣ）０にしたがってデータパケットは、１／２のレガシーＢＰＳＫコードレートを使用して６．５メガビット毎秒（Ｍｂｐｓ）のデータレートを有し得る。６．５Ｍｂｐｓデータレートは、４マイクロ秒の１つの直交周波数分割多重（orthogonal frequency division multiplexing）（ＯＦＤＭ）シンボルの中で２６個の情報ビットに対応し得る。さらに、レガシー規格ＩＥＥＥ  ８０２．１１ａは、６Ｍｂｐｓのデータレートを有するデータパケットを生成するために同様のＢＰＳＫコードレートを使用する。説明された実施形態は、６−６．５Ｍｂｐｓレガシーレート未満にまでデータレートを低減し得る。
【００１４】
[0014]  別の特定の実施形態では、方法は、米国電気電子学会８０２．１１の無線ネットワークを介する送信のためにソースデバイスでデータパケットを生成することを含む。データパケットは、レガシーデータパケットを通信するために使用されるトーンより小さい帯域幅を有するトーンを使用して通信される。データパケットは、信号フィールドおよびデータフィールドのための繰り返し（repetition）、またはレガシーデータパケットのためのレガシーコードレートより低い信号フィールドおよびデータフィールドのためのコードレートを含む。方法はまた、無線ネットワークを介してデータパケットを送信することを含む。
【００１５】
[0015]  別の特定の実施形態では、装置は、プロセッサと、ＩＥＥＥ  ８０２．１１の無線ネットワークを介する送信のためにデータパケットを、ソースデバイスで、生成する動作を実行するためのプロセッサによって実行可能な命令を記憶するメモリとを含む。データパケットは、データパケットの中で複製される複数のデータシンボルを含む。データパケットのプリアンブルの少なくとも一部は、データパケットの中で複製されず、プリアンブルの一部は、パケットが低レートモードのパケットであることを示す。動作はまた、無線ネットワークを介してソースデバイスから宛先デバイスにデータパケットを送信することを含む。
【００１６】
[0016]  別の特定の実施形態では、装置は、プロセッサと、米国電気電子学会（ＩＥＥＥ）８０２．１１の無線ネットワークを介する送信のためにデータパケットを生成することを含む動作を実行するためのプロセッサによって実行可能な命令を記憶するメモリとを含む。データパケットを通信するために使用されるトーンは、レガシーデータパケットを通信するために使用されるトーンより小さい帯域幅を有する。データパケットはまた、信号フィールドおよびデータフィールドのための繰り返し、またはレガシーデータパケットのためのレガシーコードレートより低い信号フィールドおよびデータフィールドのためのコードレートを含む。
【００１７】
[0017]  開示された実施形態のうちの少なくとも１つによって提供される１つの特定の利点は、送信の間データパケットのデータレートをより低くすることによって、ポピュレートされた無線ネットワーク（populated wireless network）の中のデータ通信の間データパケットが干渉の影響を受けにくくすること、および／またはデータパケットをデコードするために必要な、信号対干渉雑音比（ＳＩＮＲ）の要件を低減することである。本開示の他の態様、利点、および特徴が、以下のセクション：図面の簡単な説明、発明を実施するための形態、および特許請求の範囲、を含む本願全体のレビュー後に明らかとなるだろう。
【図面の簡単な説明】
【００１８】
【図１】[0018]  図１は、無線ネットワークにわたって低レートデータパケットを通信するように動作可能であるシステムの特定の例示的な実施形態のブロック図である。
【図２】[0019]  図２は、図１のソースデバイスによって生成されたデータパケットの特定の実施形態である。
【図３】[0020]  図３は、図１のソースデバイスによって生成されたデータパケットの別の特定の実施形態である。
【図４】[0021]  図４は、図１のソースデバイスによって生成されたデータパケットの別の特定の実施形態である。
【図５】[0022]  図５は、図１のソースデバイスによって生成されたデータパケットの別の特定の実施形態である。
【図６】[0023]  図６は、ＩＥＥＥ  ８０２．１１の無線ネットワークの中で低データレートパケットを生成するための方法の特定の実施形態を例示する流れ図である。
【図７】[0024]  図７は、ＩＥＥＥ  ８０２．１１の無線ネットワークの中で低データレートパケットを生成するための方法の別の特定の実施形態を例示する流れ図である。
【図８】[0025]  図８は、ＩＥＥＥ  ８０２．１１の無線ネットワークの中で低データレートパケットを生成するための方法の別の特定の実施形態を例示する流れ図である。
【図９】[0026]  図９は、ＩＥＥＥ  ８０２．１１の無線ネットワークの中で低データレートパケットを生成するための方法の別の特定の実施形態を例示する流れ図である。
【図１０】[0027]  図１０は、ＩＥＥＥ  ８０２．１１の無線ネットワークの中で低データレートパケットを生成するための方法の別の特定の実施形態を例示する流れ図である。
【図１１】[0028]  図１１は、本明細書に開示される１つ以上の方法、システム、装置、および／またはコンピュータ可読媒体の様々な実施形態をサポートするように動作可能である無線デバイスの図である。
【発明を実施するための形態】
【００１９】
[0029]  図１を参照して、無線ネットワークにわたって低レートデータパケットを通信するように動作可能であるシステム１００の特定の例示的な実施形態は、示される。システム１００は、無線ネットワーク１５０を介して宛先デバイス１２２と無線で通信するように構成されるソースデバイス１０２を含む。
【００２０】
[0030]  特定の実施形態では、無線ネットワーク１５０は、米国電気電子学会（ＩＥＥＥ）８０２．１１の無線ネットワーク（例えば、Ｗｉ−Ｆｉネットワーク）である。例えば、無線ネットワーク１５０は、ＩＥＥＥ  ８０２．１１規格にしたがって動作し得る。例示的な実施形態では、無線ネットワーク１５０は、８０２．１１の高効率Ｗｉ−Ｆｉ（ＨＥＷ）ネットワークである。特定の実施形態では、無線ネットワーク１５０は、単一および／または多元接続通信（single and/or multiple access communication）をサポートする。例えば、無線ネットワーク１５０は、ソースデバイス１０２から宛先デバイス１２２への低レートデータパケット１４０の送信をサポートし得る。別の例では、無線ネットワークは、ソースデバイスから複数の宛先デバイス（示されていない）への低データレートパケット１４０の送信をサポートし得る。１つの例では、低レートデータパケット１４０は、本明細書にさらに説明されるように、直交周波数分割多元接続（orthogonal frequency-division multiple access）（ＯＦＤＭＡ）パケットであり得る。本明細書で使用される場合、「低レート」データパケットは、約６−６．５メガビット毎秒（Ｍｂｐｓ）未満であるレートを有することができ、それは、ＩＥＥＥ  ８０２．１１ａ、８０２．１１ｎ、および８０２．１１ａｃ規格で提供される（例えば、規格の中の変調およびコーディング方式（ＭＣＳ）インデックス０で提供される）データレートである。
【００２１】
[0031]  ダウンリンク送信を表す特定の実施形態では、ソースデバイス１０２は、低レートデータパケット１４０を生成する、および低レートデータパケット１４０を宛先デバイス１２２（例えば、モバイル電話）に送信するように構成されるアクセスポイント（ＡＰ）、または他のデバイス（例えば、基本サービスセット（ＢＳＳ）のコーディネータ）であり得る。アップリンク送信を表す別の特定の実施形態では、ソースデバイス１０２は、低レートデータパケット１４０を生成する、および低レートデータパケット１４０を宛先デバイス１２２（例えば、ＡＰ）に送信するように構成されるモバイル電話であり得る。ソースデバイス１０２は、プロセッサ１０４（例えば、中央処理装置（ＣＰＵ）、デジタルシグナルプロセッサ（ＤＳＰ）、ネットワークプロセッシングユニット（network processing unit）（ＮＰＵ）等）、メモリ１０６（例えば、ランダムアクセスメモリ（ＲＡＭ）、読み取り専用メモリ（ＲＯＭ）等）、ならびに無線ネットワーク１５０を介してデータを送る、および受信するように構成される無線インタフェース１１０を含む。メモリ１０６は、低レートデータパケット１４０を生成するためにパケットジェネレータ１０８によって使用される低データレートパラメータ１１２（例えば、トーンおよび時間パラメータ）を記憶し得る。パケットジェネレータ１０８は、単一接続パケットも多元接続パケットも（single access packets as well as multiple access packets）生成し得る。
【００２２】
[0032]  パケット（例えば、低レートデータパケット１４０）が、無線媒体にわたって通信されるとき、パケットは、時間の一定の期間の間、一定の周波数帯にわたって変調される波形を使用して通信され得る。周波数帯は、１つ以上の「トーン」に分割されることができ、時間の期間は、１つ以上の「シンボル」に分割され得る。例示的な非限定的な例として、２０ＭＨｚの周波数帯は、４個の５ＭＨｚのトーンに分割されることができ、８０マイクロ秒の期間は、２０個の４マイクロ秒のシンボルに分割され得る。よって、「トーン」は、波形に含まれる周波数サブバンドを表し得る。トーンは、サブキャリアと代替的に称され得る。「トーン」は、したがって、周波数領域ユニット（frequency domain unit）であり得る。「シンボル」は、波形に含まれる時間の持続時間を表す時間領域ユニットであり得る。無線パケットのための波形はしたがって、複数のトーンおよび複数のシンボルを含む２次元構造として可視化され得る。図２−５に例示され、本明細書にさらに説明された例示的なパケットに関して、トーンは、垂直軸上に例示され、シンボルは水平軸上に例示される。したがって、データパケットのデータシンボルが、データパケットと関連付けられる周波数帯にわたって複製されるとき、データシンボルの複数のコピーは、図２にあるように、垂直に積み重ねられるように（as being stacked vertically）例示され得る。データパケットのデータシンボルがデータパケットと関連付けられる時間期間にわたって複製されるとき、データシンボルの複数のコピーは、図４にあるように、水平に隣り合うように例示され得る。
【００２３】
[0033]  例として、無線デバイスは、２０メガヘルツ（ＭＨｚ）の無線チャネル（例えば、２０ＭＨｚの帯域幅を有するチャネル）を介してパケットを受信し得る。無線デバイスは、パケットを通信するために使用される６４個のトーンを決定するために６４ポイントの高速フーリエ変換（fast Fourier transform）（ＦＦＴ）を実行し得る。トーンのサブセットは、「使用可能」と考えられることができ、残りのトーンは、「使用不可能（unusable）」と考えられ得る（例えば、ガードトーン（guard tones）、直流（ＤＣ）トーン等であり得る）。例示するために、６４個のトーンのうちの５６個は、５２個のデータトーンおよび４個のパイロットトーンを含み、使用可能であり得る。上記のチャネル帯域幅、変換、およびトーンプランは、例のためであることを留意されるべきである。代替の実施形態では、異なるチャネル帯域幅（例えば、５ＭＨｚ、６ＭＨｚ、６．５ＭＨｚ、４０ＭＨｚ、８０ＭＨｚ等）、異なる変換（例えば、２５６ポイントＦＦＴ、１０２４ポイントＦＦＴ等）、および／または異なるトーンプランが、使用され得る。
【００２４】
[0034]  特定の実施形態では、低データレートパラメータ１１２は、データデュープリケーションのためのトーン割り当て、コードレート（例えば、二位相シフトキーイング（ＢＰＳＫ）レート）、および／またはデータデュープリケーションための時間間隔を決定するために低レートデータパケット１４０の生成の間、パケットジェネレータ１０８によって使用され得る。例えば、低レートデータパケット１４０は、図２に関して説明されるように、低レートデータパケット１４０の周波数帯にわたって複製される共通データに割り当てられたトーンを使用して通信され得る。代替として、低レートデータパケット１４０は、図３に関して説明されるように、低レートデータパケット１４０をデコードするために必要な信号対干渉雑音比（ＳＩＮＲ）の要件を低減するために選択されるコードレートを使用してコード化され得る。代替として、低レートデータパケット１４０は、図４に関して説明されるように、低レートデータパケット１４０と関連付けられた時間期間にわたって複製されるデータシンボルを含み得る。低レートデータパケット１４０の追加の例は、図５に関して説明される。
【００２５】
[0035]  宛先デバイス１２２は、プロセッサ１２４、メモリ１２６、および無線インタフェース１３０を含み得る。宛先デバイス１２２はまた、パケットジェネレータ１０８に関して説明されたように、パケット（例えば、単一接続パケット、または多元接続パケット）を生成するように構成されるパケットジェネレータ１２８を含み得る。１つの例では、メモリ１２６は、ソースデバイス１０２の中のパラメータ１１２と同一である低データレートパラメータ１３２を記憶し得る。
【００２６】
[0036]  動作の間、ソースデバイス１０２は、無線ネットワーク１５０にわたって宛先デバイス１２２にデータを送信しようと試み得る。データは、無線ネットワーク１５０の中の密度（例えば、高いアクセスポイント（high access points）および／またはモバイル電話）のため、および／またはソースデバイス１０２の低い送信電力（low transmit power）のため、宛先デバイス１２２によって受信され（または肯定応答され（acknowledged））ないことがある。無線ネットワーク１５０にわたるデータ送信の効率性を改善するために、ソースデバイス１０２は、低レートデータパケット１４０を使用してデータを送信し得る。例えば、低レートデータパケット１４０は、（例えば、８０２．１１ａ規格、８０２．１１ｇ規格、８０２．１１ｎ規格、および８０２．１１ａｃ規格と関連付けられたフロアレート（floor rate）より約４倍低い）約１．５−１．６２５メガビット毎秒（Ｍｂｐｓ）のレートで送信され得る。
【００２７】
[0037]  データレートを低減することは、無線ネットワーク１５０（例えば、高密度のネットワーク（high density networks））にわたって同時に送信される複数のデータパケットに起因する干渉の影響を低減し得る。例えば、より低いデータレートは、より低い信号対干渉雑音比（ＳＩＮＲ）と関連付けられることができ、したがってデータが干渉のより高いレベルの影響を受けにくくする。データレートを低減することはまた、ソースデバイス１０２で低い送信電力の影響を低減し得る。例えば、低レートデータパケット１４０のヘッダ（例えば、プリアンブル）は、宛先デバイス１２２に、低レートパケット１４０がデコードされるべきデータレートが、レガシーデータパケット（例えば、８０２．１１ａ、８０２．１１ｇ、８０２．１１ｎ、または８０２．１１ａｃのデータパケット）、または「予測される」データパケットのそれ未満であるという信号を送り（signal）得る。１つまたは複数の説明された低レートモードはしたがって、密度の高い、混雑した、および／または限られた干渉のネットワーク（interference-limited networks）（例えば、低い信号対雑音比（ＳＮＲ）を持つネットワーク）で使用され得る。例えば、モバイル局が、アクセスポイントより低い送信電力を有し、６−６．５Ｍｂｐｓでアップリンク送信を完了することが可能でない場合、局は、説明された低レートモードへ移行し得る（または移行を要求し得る）。別の例として、モバイル局が干渉を経験しており、アクセスポイントが、局が干渉を経験しているというインジケーションを受信する場合、アクセスポイントは、モバイル局へのダウンリンク送信を説明された低レートモードへ移行し得る。説明された低レートモードはしたがって、フォールバックオプション（fallback option）としてサーブし得る。
【００２８】
[0038]  図２を参照して、８０２．１１の無線ネットワークを使用して通信されるデータパケット２００の特定の実施形態が、示される。特定の実施形態では、データパケット２００は、無線ネットワーク１５０を介してソースデバイス１０２によって宛先デバイス１２２に送信される図１の低レートデータパケット１４０に対応し得る。図２は、データシンボルの周波数領域のデュープリケーションの例を例示する。例えば、本明細書にさらに説明されるように、データパケット２００のデータシンボルは、データパケット２００と関連付けられる周波数帯（例えば、２０ＭＨｚの周波数帯）にわたって複製される。
【００２９】
[0039]  データパケット２００は、ショートトレーニングフィールド（short training field）（ＳＴＦ）２１０、ロングトレーニングフィールド（long training fields）（ＬＴＦｓ）２２０、信号（ＳＩＧ）フィールド２３０、およびデータフィールド２４０を含む。データパケット２００のプリアンブルは、ショートトレーニングフィールド２１０、ロングトレーニングフィールド２２０、および信号フィールド２３０を含む。特定の実施形態では、データパケット２００の中に２つ以上のロングトレーニングフィールド２２０が存在し得る。信号フィールド２３０は、４個の信号フィールドを含み、データフィールド２４０は、データシンボルを含む４個のデータフィールドを含む。各信号フィールド２３０および各対応するデータフィールド２４０は、データパケット２００を通信するために使用される複数のトーン（例えば、２５６個のサブキャリア）にわたって複製され得る。例えば、データパケット２００は、２５６個のトーンにわたってスプレッドされる２０ＭＨｚの帯域幅を有し得る。各信号フィールド２３０および対応するデータフィールド２４０は、５ＭＨｚの帯域幅（例えば、６４個のトーン）にわたって複製され得る。
【００３０】
[0040]  特定の実施形態では、データパケット２００（および図３−５に例示されたデータパケット）は、レガシーショートトレーニングフィールド（Ｌ−ＳＴＦ）、レガシーロングトレーニングフィールド（Ｌ−ＬＴＦ）、およびレガシー信号（Ｌ−ＳＩＧ）フィールドを含み（例えば、それらから始まり）得る。Ｌ−ＳＴＦ、Ｌ−ＬＴＦ、およびＬ−ＳＩＧフィールドは、データパケット２００の残り（remainder）（例えば、ノンレガシープリアンブル（non-legacy preamble）（例えば、ＳＴＦ、ＬＴＦ、およびＳＩＧ）およびデータ部分）に先行するデータパケット２００のレガシープリアンブルと集合的に称され得る。特定の実施形態では、レガシーデバイスがレガシープリアンブルに続くパケット２００の部分を処理することが可能でないことがあるとしても、レガシープリアンブルは、レガシーデバイス（例えば、ノンＨＥＷデバイス（non-HEW devices））がデータパケット２００を検出することを可能にする。レガシーデバイスの例は、ＩＥＥＥ  ８０２．１１ａ／ｂ／ｇ／ｎ／ａｃのデバイス、に限定されないが、それらを含み得る。レガシーデバイスが、レガシープリアンブルに続くデータパケット２００の部分を処理することが可能でないことがあるとしても、レガシープリアンブルは、データパケット２００の持続時間の間、レガシーデバイスを無線媒体を混雑させる（congesting）ことから防ぐために使用され得る。例えば、レガシープリアンブルは、持続時間フィールドを含むことができ、レガシーデバイスは、持続時間フィールドによって示される持続時間の間、媒体を混雑させることを控え得る。レガシープリアンブルをデコードすることに応答して、レガシーデバイスは、データパケット２００の持続時間の間（例えば、データパケット２００が通信されている時間期間の間）、無線ネットワークを介して通信することを控え得る。
【００３１】
[0041]  図２のデータパケット２００は、８０ＭＨｚのレガシーデュープリケーション（Ｌ−ＤＵＰ）データパケットより多くの、データビット（例えば、データシンボル）を送信するように動作可能であるデータトーン（例えば、データサブキャリア）を使用して通信され得る。例えば、８０ＭＨｚのＬ−ＤＵＰデータパケットは、４の因数（factor）によって４個のレガシーデータパケット（例えば、４個の２０ＭＨｚの８０２．１１ａデータパケット）をダウンクロッキングすること（down-clocking）によって生成され得る。各レガシーデータパケットは、６４個のトーン（例えば、４８個のデータトーン、１１個のガードトーン、４個のパイロットトーン、および１個のＤＣトーン）を使用して通信され得る。したがって、８０ＭＨｚのＬ−ＤＵＰデータパケットは、データビットを送信するように動作可能である１９２個のデータトーン（例えば、４８×４個のデータトーン）を使用して通信され得る。図２に例示されたデータパケット２００は、２３４個のデータトーンを使用して通信されることができ、それは、４２個のデータトーンの増加を生じ得る。したがって、５８個の別個のデータシンボルが、データパケット２００の中で４個のデータフィールド２４０（例えば、５８×４＝２３２個のデータトーン）の各々の中に置かれ、および複製されることができ、２個の余分なデータトーンは、追加のデータシンボルのために使用され得る。
【００３２】
[0042]  特定の実施形態では、ショートトレーニングフィールド２１０および／またはロングトレーニングフィールド２２０は、８０２．１１ａｃ／ｎのデータパケットで使用される対応するトレーニングフィールドより長い持続時間を有し得る。８０２．１１ａｃ／ｎのデータパケットが、データパケット２００のデータレートと実質的に同等であるデータレートを実現するために因数（例えば、４）によってダウンクロックされた後、ショートトレーニングフィールド２１０および／またはロングトレーニングフィールド２２０はまた、８０２．１１ａｃ／ｎのデータパケットで使用される対応するトレーニングフィールドとは区別され（例えば、より長くあり）得る。２つ以上のロングトレーニングフィールドシンボルは、チャネル推定をブーストするために信号フィールド２３０より前に送信され得る（例えば、２個のロングトレーニングフィールドは、データパケット２００の中で信号フィールド２３０に先行し得る）。ブーストされたチャネル推定は、２０ＭＨｚの帯域幅にわたって信号フィールド２３０およびデータフィールド２４０を複製することと関連付けられるより多くの（またはフルの）ゲインを引き出し得る。さらに、または代替として、ショートトレーニングフィールド２１０および／またはロングトレーニングフィールド２２０は、２０ＭＨｚの帯域幅にわたって信号フィールド２３０およびデータフィールド２４０を複製することと関連付けられるより多くのゲインを実現するために８０２．１１ａｃ／ｎのデータパケットで使用される対応するトレーニングフィールドと比較してより多くの電力（例えば、電力ブースト）を含み得る。
【００３３】
[0043]  ショートトレーニングフィールド２１０は、４番目ごとにポピュレートされるトーン（every 4th tone being populated）で６４個のトーンにわたってスプレッドされることができ、１６番目ごとにポピュレートされるトーンで２５６個のトーンにわたってスプレッドされることができ、または４番目ごとにポピュレートされるトーンで２５６個のトーンにわたってスプレッドされ得る。ショートトレーニングフィールド２１０の中でトーンをポピュレートすること（例えば、サブサンプリングすること）は、データパケット２００の中の各シンボルの周期性（periodicity）に直接対応し得る。例えば、ショートトレーニングフィールド２１０の中の１６番目ごとのトーンをポピュレートすることは、信号フィールド２３０の中のあらゆるシンボル（例えば、直交周波数分割多元接続（ＯＦＤＭＡ）シンボル、または直交周波数分割多重（ＯＦＤＭ）シンボル）およびデータフィールド２４０の中のあらゆる対応するデータシンボルのための１６個の期間をもたらし得る。４番目ごとのトーンをポピュレートすることは、信号フィールド２３０の中のあらゆるＯＦＤＭＡシンボルおよびデータフィールド２４０の中のあらゆる対応するデータシンボルのための４個の期間をもたらし得る。
【００３４】
[0044]  ６４個のトーンショートトレーニングフィールドの中の４番目ごとのトーン、または２５６個のトーンショートトレーニングフィールドの中の１６番目ごとのトーンとは異なる数のトーンをポピュレートすることは、信号フィールド２３０およびデータフィールド２４０が、２０ＭＨｚの帯域幅にわたって４倍にレプリケートされた（replicated）ことを宛先デバイス（例えば、図１の宛先デバイス１２２）に示し得る。例えば、異なる数のトーンをポピュレートすることは、データパケット２００の周期性が、レガシー２０ＭＨｚの８０２．１１ａのパケットとは異なる宛先デバイスの中の検出器に信号を送り得る。代替として、ロングトレーニングフィールド２２０の中の直交系列（orthogonal sequence）は、信号フィールドおよびデータフィールド２４０が、レプリケートされたことを示すために修正され得る。したがって、データパケット２００のプリアンブルの複製されていない部分（例えば、ＳＴＦ、またはＬＴＦ）は、データパケット２００が、低レートモードのパケットであることを示し得る。
【００３５】
[0045]  特定の実施形態では、データパケット２００はまた、２０ＭＨｚのレガシーデータパケットを通信するために使用される第２の数のトーン（例えば、６４個のトーン）より大きい第１の数のトーン（例えば、２５６個のトーン）を使用して通信され得る。トーンの第１の数は、４の因数（例えば、第１の因数）だけトーンの第２の数より大きくなり得る。ショートトレーニングフィールド２１０は、第１の因数未満である第２の因数によって周波数補正能力を低減し得る。例えば、ロングトレーニングフィールド２２０、信号フィールド２３０、およびデータフィールド２４０の中のトーンは、第１の因数によって２０ＭＨｚのレガシーデータパケットに関して低減され得る。ショートトレーニングフィールド２１０（例えば、２５６個のトーンショートトレーニングフィールド）の中の１６番目ごとのトーンをポピュレートすることは、２０ＭＨｚのレガシーデータパケットのプルインレンジ（pull-in range）と比較して（周波数補正能力に対応する）プルインレンジを低減しないことがある。
【００３６】
[0046]  ４個のデータフィールド２４０にわたってデータを複製すること（例えば、４Ｘデータ繰り返し（4X data repetition））はまた、レガシーデータパケットのレガシーデータレート（例えば、６−６．５Ｍｂｐｓ）と比較して送信の低減されたデータレート（例えば、１．５−１．６２５Ｍｂｐｓ）を可能にし得る。低減されたデータレートは、８０２．１１の無線ネットワークにわたる送信の間、データパケット２００の信号対雑音比（ＳＮＲ）を改善し得る。２つ以上のロングトレーニングフィールド２２０は、改善されたＳＮＲ（例えば、ゲインの約６デシベル（ｄＢｓ））のより多くの（またはフルの）ベネフィット（benefit）を引き出すために使用され得る。低減されたデータレートはまた、低い送信電力で送信されるデータパケットのための送信の信頼性を改善し得る。
【００３７】
[0047]  図３を参照して、８０２．１１の無線ネットワークを使用して通信されるデータパケット３００の別の特定の実施形態が、示される。特定の実施形態では、データパケット３００は、無線ネットワーク１５０を介してソースデバイス１０２によって宛先デバイス１２２に送信される図１の低レートデータパケット１４０に対応し得る。
【００３８】
[0048]  データパケット３００は、ショートトレーニングフィールド３１０、ロングトレーニングフィールド３２０、信号フィールド３３０、およびデータフィールド３４０を含む。データパケット３００のプリアンブルは、ショートトレーニングフィールド３１０、ロングトレーニングフィールド３２０、および信号フィールド３３０を含む。特定の実施形態では、データパケット３００の中に２つ以上のロングトレーニングフィールド３２０が存在し得る。
【００３９】
[0049]  信号フィールド３３０の中のシンボル、およびデータフィールド３４０の中のデータシンボルは、低減されたコードレートを使用して生成され（例えば、エンコードされ）得る。例えば、変調およびコーディング方式（ＭＣＳ）は、低減されたコードレート（例えば、１／２のレガシー前方向誤り訂正（forward error correction）（ＦＥＣ）コードレートと比較して低減されたＦＥＣコードレート）を有する二位相シフトキーイング（ＢＰＳＫ）変調方式を示し得る。信号フィールド３３０の中のシンボル、およびデータフィールド３４０の中のデータシンボルは、１／８のＢＰＳＫの基本レートを使用して生成され得る。代替の実施形態では、１／８以外の基本レートが使用され得る。
【００４０】
[0050]  データパケット３００の低減されたコードレートは、データ送信の間ハイブリッド自動再送要求（hybrid automatic repeat request）（ＨＡＲＱ）を可能にし得る。例えば、１／８のコードレート（例えば、基本コードレート）は、データが８０２．１１の無線ネットワークにわたって送信されるレートを選択的に減らすために使用され得る。第１の送信の間、データパケット３００は、（例えば、１／２のレート送信で）送信されるデータビットごとのためのパリティビットを含み得る。データパケット３００が、１／２のレート送信を使用してデコードされることが可能でない場合、レートは、基本コードレートに基づいて低減され得る。例えば、７個のパリティビットが（例えば、１／８のコードレートで）送信されるデータビットごとのために使用されるまで、追加のパリティビットは、送信されるデータビットごとのために使用され得る。データパケット３００が宛先デバイスで成功裡にデコードされるまで、レートは、基本コードレートを使用して連続的に（continuously）低減され得る。
【００４１】
[0051]  特定の実施形態では、ショートトレーニングフィールド３１０および／またはロングトレーニングフィールド３２０は、８０２．１１ａｃ／ｎのデータパケットで使用される対応するトレーニングフィールドより長い持続時間を有し得る。８０２．１１ａｃ／ｎのデータパケットが、データパケット３００のデータレートと実質的に同等であるデータレートを実現するために因数（例えば、４）によってダウンクロックされた後、ショートトレーニングフィールド３１０および／またはロングトレーニングフィールド３２０はまた、８０２．１１ａｃ／ｎのデータパケットで使用される対応するトレーニングフィールドとは区別され（例えば、より長くあり）得る。２つ以上のロングトレーニングフィールドシンボルは、チャネル推定をブーストするために信号フィールド３３０より前に送信され得る。ブーストされたチャネル推定は、コードレートをより低くすることと関連付けられるより多くの（またはフルの）ゲインを引き出し得る。さらに、または代替として、ショートトレーニングフィールド３１０および／またはロングトレーニングフィールド３２０は、コードレートをより低くすることと関連付けられるより多くのゲインを実現するために８０２．１１ａｃ／ｎのデータパケットで使用される対応するトレーニングフィールドと比較してより多くの電力（例えば、電力ブースト）を含み得る。
【００４２】
[0052]  特定の実施形態では、ショートトレーニングフィールド３１０は、図２に関して説明されたように、ｎ番目（例えば、４番目、または１６番目）ごとにポピュレートされるトーンでトーン（例えば、６４個のトーン、または２５６個のトーン）にわたってスプレッドされ得る。異なるトーンのポピュレーションは、調整されたレートを示すために使用され得る。代替として、ロングトレーニングフィールド３２０の中の直交系列は、調整されたレートを示すために修正され得る。
【００４３】
[0053]  図３のデータパケット３００は、レガシーデータパケットと比較して低減されたデータレートを有し得る。例えば、データパケット３００のデータレートは、レガシーデータパケットの６．０−６．５Ｍｂｐｓのレガシーデータレートと比較して約１．５−１．６２５Ｍｂｐｓに低減され得る。データレートを低減することは、８０２．１１の無線ネットワークにわたる送信の間、データパケット３００の信号対雑音比（ＳＮＲ）を改善し得る。２つ以上のロングトレーニングフィールド３２０は、改善されたＳＮＲのより多くの（またはフルの）ベネフィットを引き出すために使用され得る。低減されたデータレートはまた、低い送信電力で送信されるデータパケットのための送信の効率性を改善し得る。
【００４４】
[0054]  図４を参照して、８０２．１１の無線ネットワークを使用して通信されるデータパケット４００の別の特定の実施形態が、示される。特定の実施形態では、データパケット４００は、無線ネットワーク１５０を介してソースデバイス１０２によって宛先デバイス１２２に送信される図１の低レートデータパケット１４０に対応し得る。図４は、データシンボルの時間領域のデュープリケーションの例を例示する。例えば、本明細書にさらに説明されるように、データパケット４００のデータシンボルは、データパケット４００と関連付けられる時間期間にわたって複製される。
【００４５】
[0055]  データパケット４００は、ショートトレーニングフィールド４１０、ロングトレーニングフィールド４２０、信号フィールドシンボル４３０の第１のセット、信号フィールドシンボル４３５の第２のセット、データシンボル４４０の第１のセット、およびデータシンボル４４５の第２のセットを含む。データパケットのデータレートに基づいて、データパケット４００はまた、信号フィールドシンボルの追加のセット（示されていない）、およびデータフィールドシンボルの追加のセット（示されていない）を含み得る。例えば、より低いデータレートは、シンボルが、より大きい時間期間にわたってスプレッドされることとなるため、より多くのフィールドを要求し得る。データパケット４００のプリアンブルは、ショートトレーニングフィールド４１０、ロングトレーニングフィールド４２０、および信号フィールドシンボル４３０、４３５を含む。特定の実施形態では、データパケット４００の中に２つ以上のロングトレーニングフィールド４２０が存在し得る。
【００４６】
[0056]  複数のデータシンボルが、データパケット４００の複数の時間間隔で複製され得る。例えば、信号フィールドシンボル４３０の第１のセットは、データパケット４００の異なる時間間隔で複製される第１の信号フィールドシンボルに対応し得る。信号フィールドシンボル４３５の第２のセットは、時間領域の中で複製される第２の信号フィールドシンボルに対応し得る。同様に、データシンボル４４０の第１のセット、およびデータシンボル４４５の第２のセットは、時間領域の中で複製される第１の、および第２のデータペイロードシンボルに対応し得る。
【００４７】
[0057]  特定の実施形態では、ショートトレーニングフィールド４１０は、図２に関して説明されたように、ｎ番目（例えば、４番目、または１６番目）ごとにポピュレートされるトーンでトーン（例えば、６４個のトーン、または２５６個のトーン）にわたってスプレッドされ得る。異なるトーンのポピュレーションは、調整されたレートを示すために使用され得る。代替として、ロングトレーニングフィールド４２０の中の直交系列は、調整されたレートを示すために修正され得る。
【００４８】
[0058]  異なる時間間隔にわたって信号フィールドシンボル４３０−４３５、およびデータシンボル４４０−４４５の中のシンボルを複製することは、データパケット４００のデータレートを低減し得る。例えば、データパケット４００のデータレートは、レガシーデータパケットの６．０−６．５Ｍｂｐｓのレガシーデータレートと比較して約１．５−１．６２５Ｍｂｐｓに低減され得る。データレートを低減することは、８０２．１１の無線ネットワークにわたる送信の間、データパケット４００の信号対雑音比（ＳＮＲ）を改善し得る。２つ以上のロングトレーニングフィールド４２０は、改善されたＳＮＲのより多くの（またはフルの）ベネフィットを引き出すために使用され得る。低減されたデータレートはまた、低い送信電力で送信されるデータパケットのための送信の効率性を改善し得る。したがって、パケット４００の中の、２個から４個のシンボルは、同じデータ（例えば、信号フィールドデータ、またはペイロードデータ）を搬送し得る。特定の実施形態では、同じコンスタレーションシンボル（constellation symbol）は、異なるトーン上で搬送され得る。代替の実施形態では、低レートモードは、２５６個のトーンの代わりに１２８個のトーンに基づき得る。
【００４９】
[0059]  図５を参照して、８０２．１１の無線ネットワークを使用して通信されるデータパケット５００の別の特定の実施形態が、示される。特定の実施形態では、データパケット５００は、無線ネットワーク１５０を介してソースデバイス１０２によって宛先デバイス１２２に送信される図１の低レートデータパケット１４０に対応し得る。
【００５０】
[0060]  データパケット５００は、ショートトレーニングフィールド５１０、ロングトレーニングフィールド５２０、信号フィールド５３０、およびデータフィールド５４０を含む。データパケット５００は、６４個のトーン（例えば、サブキャリア）を使用して通信される５ＭＨｚのデータパケットである。例えば、データパケット５００は、４の因数によって６４個のトーンを使用して通信される２０ＭＨｚの帯域幅を有するレガシーデータパケット（例えば、８０２．１１ａのデータパケット）をダウンクロッキングすることによって生成され得る。したがって、図５に示されたように、パケット（またはそれの一部）のより低められたレート（lowered rate）は、より低い帯域幅を使用すること（例えば、５ＭＨｚの中の６４個のトーンを使用すること）によって達成され得る。
【００５１】
[0061]  データパケット５００は、レガシーデータパケットの４倍の長さであることができ、レガシーデータパケットより低いデータレートを有し得る。例えば、データパケット５００は、約１．５−１．６２５Ｍｂｐｓのデータレート（例えば、レガシーデータパケットのデータレートの６．０〜６．５Ｍｂｐｓの２５％）を有し得る。データパケット５００は、データ送信の間、干渉の影響を受けにくくあり得る。データパケットのデータレートを低減することはまた、受信機の電力要件を低減し得る。例えば、より少ない雑音が、より低い帯域幅で存在し得るため、より低い受信機の電力が、特定のＳＮＲを維持するために必要とされ得る。したがって、データパケット５００の送信レンジは、より低められたデータレートに基づいて増加され得る。
【００５２】
[0062]  アップリンク送信の間、データパケット５００（例えば、５ＭＨｚのデータパケット）は、単一のユーザ送信をサポートするために因数によって８０２．１１ａｃのパケット、または８０２．１１ｎのパケットをダウンクロッキングすることによって生成され得る。レガシーデータパケット５００は、アクセスポイント（ＡＰ）調整（coordination）を使用して限られた干渉のシナリオ（interference limited scenarios）の中で基本サービスセット（ＢＳＳ）を持つ直交周波数分割多元接続（ＯＦＤＭＡ）、および／またはＢＳＳにわたって（across a BSS）周波数分割多重化（ＦＤＭ）と関連付けられるアップリンク送信のために使用され得る。データパケット５００はまた、遅延スプレッド（delay spread）を緩和することができ、レガシーデータパケットに関して新しいトーン割り当てを要求しないことがある。例えば、データパケット５００、およびレガシーデータパケットの中の対応するデータシンボルは、共通のトーン割り当て電力を使用してスプレッドされ得る。
【００５３】
[0063]  ダウンリンク送信の間、データパケット５００は、２０ＭＨｚのデータパケット（例えば、レガシーデータパケット）のレガシーデータレート（例えば、６Ｍｂｐｓ）が、低いＳＮＲのため機能しなくなる（fails）という決定に応答して使用され得る。例えば、データパケット５００のより低いデータレート（例えば、１．５Ｍｂｐｓ）は、干渉の影響を受けにくくあり得る。
【００５４】
[0064]  図５のデータパケット５００は、電力比に関してパフォーマンスの質を改善し得る。例えば、ソースデバイス１０２から宛先デバイス１２２への送信電力は、レガシーデータパケット（例えば、８０２．１１ａのデータパケット）と関連付けられる２０ＭＨｚの帯域幅に対して、５ＭＨｚの帯域幅にわたってスプレッドされ得る。したがって、図５のデータパケット５００を生成することは、宛先デバイス１２２が、低い送信電力を有するソースデバイス１０２によって送信されるデータを検出することの可能性を増加させ得る。データパケット５００はまた、８０２．１１の無線ネットワークの中の送信の間、干渉密度を低減し得る。例えば、５ＭＨｚの帯域幅は、データパケット５００がレガシーデータパケットの帯域幅（例えば、２０ＭＨｚ）より小さい帯域幅を使用するため、送信の間の干渉の可能性を低減させ得る。
【００５５】
[0065]  図６を参照して、８０２．１１の無線ネットワークの中で低データレートパケットを生成するための方法６００の特定の実施形態が、示される。方法６００は、図１のソースデバイス１０２、およびそれのコンポーネントを使用して実行され得る。
【００５６】
[0066]  方法６００は、６０２で、ＩＥＥＥ  ８０２．１１の無線ネットワークを介する送信のためにデータパケットを、ソースデバイスで、生成することを含む。データパケットの複数のデータシンボルが、複製され得る（例えば、データパケットは、データシンボルの複数のコピーを含み得る）。例えば、図１のソースデバイス１０２は、複数のトーンにわたって複製される複数のデータシンボルを有する図２のデータパケット２００を生成し得る。信号フィールド２３０は、４個の信号フィールドを含み、データフィールド２４０は、データシンボルを含む４個のデータフィールドを含む。各信号フィールド２３０および各対応するデータフィールド２４０は、データパケット２００の複数のトーン（例えば、２５６個のサブキャリア）にわたって複製され得る。例えば、データパケット２００は、２５６個のトーンにわたってスプレッドされる２０ＭＨｚの帯域幅を有し得る。各信号フィールド２３０および対応するデータフィールド２４０は、５ＭＨｚの帯域幅（例えば、６４個のトーン）にわたって複製され得る。プリアンブルの複製されていない部分（non-duplicated portion）（例えば、ＳＴＦまたはＬＴＦ）は、パケットが低レートモードであることを示し得る。
【００５７】
[0067]  データパケット２００のプリアンブルの少なくとも一部は、２５６個のトーンにわたって複製されない。例えば、ショートトレーニングフィールド２１０および／またはロングトレーニングフィールド２２０は、複製されないことがある（例えば、５ＭＨｚごとに複製されるデータを含まないことがある）。データパケット２００は、より小さい帯域幅（例えば、２０ＭＨｚ）を有するレガシーデータパケットを通信するために使用される第２の数のトーン（例えば、６４個のトーン）より大きい第１の数のトーン（例えば、２５６個のトーン）を使用して通信され得る。
【００５８】
[0068]  データパケットは、６０４で、送信され得る。例えば、図１では、ソースデバイス１０２は、無線ネットワーク１５０にわたってデータパケット２００（例えば、図１の低レートデータパケット１４０）を宛先デバイス１２２に送信し得る。
【００５９】
[0069]  図６の方法６００は、レガシーデータパケットのレガシーデータレート（例えば、６−６．５Ｍｂｐｓ）と比較して送信の低減されたデータレート（例えば、１．５−１．６２５Ｍｂｐｓ）を可能にし得る。低減されたデータレートは、８０２．１１の無線ネットワークにわたる送信の間、データパケット２００の信号対雑音比（ＳＮＲ）を改善し得る。２つ以上のロングトレーニングフィールド２２０は、改善されたＳＮＲのより多くの（またはフルの）ベネフィットを引き出すために使用され得る。低減されたデータレートはまた、低い送信電力で送信されるデータパケットのための送信の効率性を改善し得る。
【００６０】
[0070]  図７を参照して、８０２．１１の無線ネットワークの中で低データレートパケットを生成するための方法７００の別の特定の実施形態が、示される。方法７００は、図１のソースデバイス１０２、およびそれのコンポーネントを使用して実行され得る。
【００６１】
[0071]  方法７００は、７０２で、ＩＥＥＥ  ８０２．１１の無線ネットワークを介する送信のためにデータパケットを、ソースデバイスで、生成することを含み得る。データパケットの複数のデータシンボルが、複製され得る（例えば、データパケットは、データシンボルの複数のコピーを含み得る）。例えば、図１のソースデバイス１０２は、複数の時間間隔で複製される複数のデータシンボルを有する図４のデータパケット４００を生成し得る。
【００６２】
[0072]  データパケット２００のプリアンブルの少なくとも一部は、複数の時間間隔で複製されない。例えば、ショートトレーニングフィールド４１０および／またはロングトレーニングフィールド４２０は、複製されないことがある（例えば、時間領域の中で複製されるデータを含まないことがある）。
【００６３】
[0073]  データパケットは、７０４で、送信され得る。例えば、図１では、ソースデバイス１０２は、無線ネットワーク１５０にわたってデータパケット４００（例えば、図１の低レートデータパケット１４０）を宛先デバイス１２２に送信し得る。
【００６４】
[0074]  図７の方法７００は、レガシーデータパケットのレガシーデータレート（例えば、６−６．５Ｍｂｐｓ）と比較して送信の低減されたデータレート（例えば、１．５−１．６２５Ｍｂｐｓ）を可能にし得る。低減されたデータレートは、８０２．１１の無線ネットワークにわたる送信の間、データパケット４００の信号対雑音比（ＳＮＲ）を改善し得る。２つ以上のロングトレーニングフィールド４２０は、改善されたＳＮＲのより多くの（またはフルの）ベネフィットを引き出すために使用され得る。低減されたデータレートはまた、低い送信電力で送信されるデータパケットのための送信の効率性を改善し得る。
【００６５】
[0075]  図８を参照して、８０２．１１の無線ネットワークの中で低データレートパケットを生成するための方法８００の別の特定の実施形態が、示される。方法８００は、図１のソースデバイス１０２、およびそれのコンポーネントを使用して実行され得る。
【００６６】
[0076]  方法８００は、８０２で、ＩＥＥＥ  ８０２．１１の無線ネットワークを介する送信のためにデータパケットを、ソースデバイスで、生成することを含み得る。例えば、図１のソースデバイス１０２は、図５のデータパケット５００を生成し得る。データパケット５００は、６４個のトーン（例えば、サブキャリア）を使用して通信される５ＭＨｚのデータパケットである。例えば、データパケット５００は、４の因数によって６４個のトーンを使用して通信される２０ＭＨｚの帯域幅を有するレガシーデータパケット（例えば、８０２．１１ａデータパケット）をダウンクロッキングすることによって生成され得る。
【００６７】
[0077]  データパケットは、８０４で、送信され得る。例えば、図１では、ソースデバイス１０２は、無線ネットワーク１５０にわたってデータパケット５００（例えば、図１の低レートデータパケット１４０）を宛先デバイス１２２に送信し得る。
【００６８】
[0078]  図８の方法は、レガシーデータパケットのレガシーデータレート（例えば、６−６．５Ｍｂｐｓ）と比較して送信の低減されたデータレート（例えば、１．５−１．６２５Ｍｂｐｓ）を許可し得る。低減されたデータレートは、８０２．１１の無線ネットワークにわたる送信の間、データパケット５００の信号対雑音比（ＳＮＲ）を改善し得る。低減されたデータレートはまた、低い送信電力で送信されるデータパケットのための送信の効率性を改善し得る。
【００６９】
[0079]  図９を参照して、８０２．１１の無線ネットワークの中で低データレートパケットを生成するための方法９００の別の特定の実施形態が、示される。方法９００は、図１のソースデバイス１０２、およびそれのコンポーネントを使用して実行され得る。
【００７０】
[0080]  方法９００は、９０２で、ＩＥＥＥ  ８０２．１１の無線ネットワークを介する送信のためにデータパケットを、ソースデバイスで、生成することを含み得る。例えば、図１のソースデバイス１０２は、図３のデータパケット３００を生成し得る。データパケット３００のデータシンボルは、レガシーデータパケットのレガシーＢＰＳＫレート未満である第１のＢＰＳＫレートで送信され得る。例えば、信号フィールド３３０の中のＯＦＤＭＡシンボル、およびデータフィールド３４０の中のデータシンボルは、１／８の基本レートを使用して生成されることができ、それは、レガシー規格（例えば、８０２．１１ａ規格、８０２．１１ｇ規格、８０２．１１ｎ規格、または８０２．１１ａｃ規格）と関連付けられるレガシーＢＰＳＫデータパケットのコーディングレート（例えば、１／２）未満であり得る。特定の実施形態では、基本コードレートは、データが８０２．１１の無線ネットワークにわたって送信されるレートを選択的に減らすために使用され得る。第１の送信の間、データパケット３００は、（例えば、１／２のレート送信で）送信されるデータビットごとのためのパリティビットを含み得る。
【００７１】
[0081]  データパケットは、９０４で、宛先デバイスに送信され得る。例えば、図１では、ソースデバイス１０２は、１／２のレート送信を使用して無線ネットワーク１５０にわたってデータパケット３００（例えば、図１の低レートデータパケット１４０）を宛先デバイス１２２に送信し得る。
【００７２】
[0082]  送信のための第２のデータパケットは、９０６で、宛先デバイスがデータパケットに肯定応答しそこねたことの決定に応答して生成され得る。例えば、データパケット３００が、１／２のレート送信を使用して宛先デバイス１２２によってデコードされる（または検出される）ことが可能でない場合、データパケット３００の低減されたコードレートは、データ送信の間ハイブリッド自動再送要求（ＨＡＲＱ）を可能にし得る。レートは、基本コードレートに基づいて低減され得る。例えば、７個のパリティビットが（例えば、１／８のコードレートで）送信されるデータビットごとのために使用されるまで、追加のパリティビットは、送信されるデータビットごとのために試され得る（例えば、１／３のレート送信が、試されることができ、その次に１／４のレート送信が試され得る等）。データパケット３００が宛先デバイスで成功裡にデコードされるまで、レートは、基本コードレートを使用して連続的に低減され得る。
【００７３】
[0083]  第２のデータパケットは、９０８で、宛先デバイスに送信され得る。例えば、図１では、ソースデバイス１０２は、無線ネットワーク１５０にわたってデータビットごとのための２個のパリティビットを有するデータパケットを宛先デバイス１２２に送信し得る。
【００７４】
[0084]  図９の方法９００は、送信が成功するまで、コードレートを選択的にデクリメントするためにデータ送信の間、ＨＡＲＱを可能にし得る。コードレートを選択的にデクリメントすることは、レガシーデータパケットのレガシーデータレート（例えば、６−６．５Ｍｂｐｓ）と比較して送信の低減されたデータレート（例えば、１．５−１．６２５Ｍｂｐｓ）をもたらし得る。低減されたデータレートは、８０２．１１の無線ネットワークにわたる送信の間、データパケット２００の信号対雑音比（ＳＮＲ）を改善し得る。２つ以上のロングトレーニングフィールド２２０は、改善されたＳＮＲのより多くの（またはフルの）ベネフィットを引き出すために使用され得る。低減されたデータレートはまた、低い送信電力で送信されるデータパケットのための送信の効率性を改善し得る。
【００７５】
[0085]  図１０を参照して、８０２．１１の無線ネットワークの中で低データレートパケットを生成するための方法１０００の別の特定の実施形態が、示される。方法１０００は、図１のソースデバイス１０２、およびそれのコンポーネントを使用して実行され得る。
【００７６】
[0086]  方法１０００は、１００２で、ＩＥＥＥ  ８０２．１１の無線ネットワークを介する送信のためにデータパケットを、ソースデバイスで、生成することを含み得る。例えば、図１のソースデバイス１０２は、データパケット１４０を生成し得る。データパケット１４０は、レガシーデータパケットの中のトーンより小さい帯域幅を有するトーンを使用して通信され得る。例えば、データパケット１４０は、２５６個のトーンを使用して通信される２０ＭＨｚのデータパケットであることができ、そこで、各トーンは、７８．１２５ヘルツ（Ｈｚ）におおよそ等しい帯域幅を有する。レガシーデータパケット（例えば、ＩＥＥＥ  ８０２．１１ａのデータパケット、ＩＥＥＥ  ８０２．１１ｇのデータパケット、ＩＥＥＥ  ８０２．１１ｎのデータパケット、またはＩＥＥＥ  ８０２．１１ａｃのデータパケット）は、６４個のトーンを使用して通信される２０ＭＨｚのデータパケットであることができ、そこで各トーンは、３１２．５Ｈｚにおおよそ等しい帯域幅を有する。
【００７７】
[0087]  特定の実施形態では、データパケット１４０は、信号フィールドおよびデータフィールドのための繰り返しを含み得る。例えば、データパケット１４０は、図２のデータパケット２００に対応することができ、信号フィールド２３０およびデータフィールド２４０のための周波数領域の繰り返しを含み得る。別の例では、データパケット１４０は、図４のデータパケット４００に対応することができ、信号フィールド４３０、４３５の各セット、およびデータフィールド４４０、４４５の各セットのための時間領域の繰り返しを含み得る。
【００７８】
[0088]  別の特定の実施形態では、信号フィールドおよびデータフィールドのためのコードレートは、レガシーデータパケットのためのレガシーコードレートより低くあり得る。例えば、データパケット１４０は、図３のデータパケット３００に対応することができ、１／２のレガシーＦＥＣコードレートと比較して低減されたＦＥＣコードレート（例えば、１／８のコードレート）を有するＢＰＳＫ変調方式を有し得る。
【００７９】
[0089]  データパケットは、１００４で、宛先デバイスに送信され得る。例えば、図１では、ソースデバイス１０２は、無線ネットワーク１５０にわたってデータパケット１４０を宛先デバイス１２２に送信し得る。
【００８０】
[0090]  データパケットはしたがって、１）（より小さいトーンのため）より長いシンボル、および２）低コードレート、またはパケットのある部分のデュープリケーションを有する低レートデータパケットを表し得る。より長いシンボル／より小さいトーンは、より長いサイクリックプレフィクス（longer cyclic prefix）のため遅延スプレッド保護（delay spread protection）を提供し得る。そのようなデータパケットは、より長いサイクリックプレフィクスのためシンボル間干渉（inter-symbol interference）にロバストである（be robust）ことができ、より低い帯域幅で存在する低減された雑音のため特定のＳＮＲを維持するために受信機の電力要件を低減し得る。
【００８１】
[0091]  図１１を参照して、無線通信デバイスの特定の例示的な実施形態のブロック図は、描写され、１１００に一般的に指定される。デバイス１１００は、メモリ１１３２に結合された、デジタルシグナルプロセッサのような、プロセッサ１１１０を含む。例示的な実施形態では、デバイス１１００は、図１のソースデバイス１０２、または図１の宛先デバイス１２２であり得る。
【００８２】
[0092]  プロセッサ１１１０は、メモリ１１３２に記憶されたソフトウェア１１６０（例えば、１つ以上の命令のプログラム）を実行するように構成され得る。さらに、または代替として、プロセッサ１１１０は、本明細書にさらに説明されるように、無線インタフェース１１４０（例えば、ＩＥＥＥ  ８０２．１１の無線インタフェース）のメモリ１１８０に記憶された１つ以上の命令を実施するように構成され得る。特定の実施形態では、プロセッサ１１１０は、図６−１０の方法６００−１０００にしたがって、動作するように構成され得る。特定の実施形態では、プロセッサ１１１０は、図１のプロセッサ１０４、または１２４に対応することができ、メモリ１１３２は、図１のメモリ１０６、または１２６に対応し得る。
【００８３】
[0093]  無線インタフェース１１４０は、アンテナ１１４２、および無線インタフェース１１４０を介して受信される無線データが、プロセッサ１１１０に提供され得るようにプロセッサ１１１０に、およびアンテナ１１４２に結合され得る。例えば、無線インタフェース１１４０は、図１の無線インタフェース１１０、１３０を含み得る、またはそれらに対応し得る。無線インタフェース１１４０は、メモリ１１８０、およびコントローラ１１７２を含み得る。メモリ１１８０は、低データレートパラメータ１１８２（例えば、図１の低データレートパラメータ１１２、または１３２）を含み得る。特定の実施形態では、無線インタフェース１１４０はまた、それぞれ、アップリンクおよびダウンリンク通信のための変調器１１８６および復調器１１８８を含み得る。
【００８４】
[0094]  コントローラ１１７２は、メモリ１１８０に記憶された１つ以上の命令を実行するためにプロセッサ１１１０とインタフェースをとるように構成され得る。コントローラ１１７２はまた、変調器１１８６および／または復調器１１８８を実行するためにプロセッサ１１１０とインタフェースをとるように構成され得る。さらに、または代替として、コントローラ１１７２は、メモリ１１８０に記憶された命令のうちの１つ以上を実行するように構成されるプロセッサを含み得る。
【００８５】
[0095]  特定の実施形態では、プロセッサ１１１０、ディスプレイコントローラ１１２６、メモリ１１３２、ＣＯＤＥＣ１１３４、および無線インタフェース１１４０は、システムインパッケージ、またはシステムオンチップデバイス１１２２に含まれる。特定の実施形態では、入力デバイス１１３０および電源１１４４は、システムオンチップデバイス１１２２に結合される。さらに、特定の実施形態では、図１１に例示されるように、ディスプレイデバイス１１２８、入力デバイス１１３０、スピーカ１１３６、マイクロホン１１３８、アンテナ１１４２、および電源１１４４は、システムオンチップデバイス１１２２の外部にある。しかしながら、ディスプレイデバイス１１２８、入力デバイス１１３０、スピーカ１１３６、マイクロホン１１３８、アンテナ１１４２、および電源１１４４の各々は、１つ以上のインタフェースまたはコントローラのような、システムオンチップデバイス１１２２の１つ以上のコンポーネントに結合されることができる。
【００８６】
[0096]  説明された実施形態と併せて、装置は、データパケットを生成するための手段、データパケットを送信するための手段、および／またはデータパケットを受信するための手段を含み得る。生成するための手段は、プロセッサ１０４、パケットジェネレータ１０８、プロセッサ１２４、パケットジェネレータ１２８、プロセッサ１１１０、無線インタフェース１１４０またはそれのコンポーネント、データパケットを生成するように構成される別のデバイス、あるいは任意のそれらの組み合わせを含み得る。送信するための手段は、無線インタフェース１１０、無線インタフェース１３０、無線インタフェース１１４０またはそれのコンポーネント、アンテナ１１４２、データパケットを送信するように構成される別のデバイス、あるいは任意のそれらの組み合わせを含み得る。受信するための手段は、無線インタフェース１１０、無線インタフェース１３０、無線インタフェース１１４０またはそれのコンポーネント、アンテナ１１４２、データパケットを受信するように構成される別のデバイス、あるいは任意のそれらの組み合わせを含み得る。
【００８７】
[0097]  当業者は、本明細書に開示された実施形態に関連して説明された様々な例示的な論理ブロック、構成、モジュール、回路、およびアルゴリズムステップが、電子ハードウェア、プロセッサによって実行されるコンピュータソフトウェア、または両方の組み合わせとして実施され得ることをさらに理解することとなる。様々な例示的なコンポーネント、ブロック、構成、モジュール、回路、およびステップは、それらの機能性の観点から一般的に上記に説明された。そのような機能性が、ハードウェア実行可能な命令として、またはプロセッサ実行可能な命令として実装されるか否かは、特定のアプリケーションおよび全体のシステムに課せられる設計の制約に依存する。当業者は、各特定のアプリケーションに関して種々の方法で説明された機能性を実施し得るが、そのような実施の決定は、本開示の範囲からの逸脱をもたらすとして解釈されるべきではない。
【００８８】
[0098]  本明細書に開示された実施形態に関連して説明される方法またはアルゴリズムのステップは、ハードウェアにおいて、プロセッサによって実行されるソフトウェアモジュールにおいて、またはこれら２つの組み合わせにおいて、直接具現化され得る。ソフトウェアモジュールは、ランダムアクセスメモリ（ＲＡＭ）、フラッシュメモリ、読み取り専用メモリ（ＲＯＭ）、プログラマブル読み取り専用メモリ（ＰＲＯＭ）、消去可能なプログラマブル読み取り専用メモリ（ＥＰＲＯＭ）、電気的に消去可能なプログラマブル読み取り専用メモリ（ＥＥＰＲＯＭ（登録商標））、レジスタ、ハードディスク、リムーバブルディスク、コンパクトディスク読み取り専用メモリ（ＣＤ−ＲＯＭ）、または当技術分野において既知の非一時的な記憶媒体の任意の他の形式で存在し得る。例示的な記憶媒体は、プロセッサが、記憶媒体から情報を読み取り、記憶媒体に情報を書き込むことができるようにプロセッサに結合される。代替として、記憶媒体はプロセッサと一体化され得る。プロセッサおよび記憶媒体は、アプリケーション特定集積回路（ＡＳＩＣ）内に存在し得る。ＡＳＩＣは、コンピューティングデバイスまたはユーザ端末に存在し得る。代替として、プロセッサおよび記憶媒体は、コンピューティングデバイスまたはユーザ端末内のディスクリートコンポーネントとして存在し得る。
【００８９】
[0099]  開示された実施形態の先の説明は、当業者が開示された実施形態を製造または使用することを可能にするために提供される。これらの実施形態への様々な修正は、当業者に容易に明らかであり、本明細書に定義された原理は、本開示の範囲から逸脱することなく他の実施形態に応用され得る。したがって、本開示は、本明細書に示された実施形態に限定されることを意図されず、下記の特許請求の範囲によって定義されるような原理および新規な特徴と一致する可能である最も広い範囲を与えられるべきである。
【図１】
2016534640.tif 000003
【図２】
2016534640.tif 000004
【図３】
2016534640.tif 000005
【図４】
2016534640.tif 000006
【図５】
2016534640.tif 000007
【図６】
2016534640.tif 000008
【図７】
2016534640.tif 000009
【図８】
2016534640.tif 000010
【図９】
2016534640.tif 000011
【図１０】
2016534640.tif 000012
【図１１】
2016534640.tif 000013
【国際調査報告】
2016534640.tif 000014
2016534640.tif 000015
2016534640.tif 000016
2016534640.tif 000017
2016534640.tif 000018
2016534640.tif 000019